(57)【要約】      （修正有）【課題】ハンマー打撃を必要とせずに、コンパクトで簡便に取り付けでき短時間でネジ付部材を緩締できる装置を提供する。【解決手段】ネジ付部材の緩締装置は、中央部にネジ付部材と同芯の嵌合孔１２を有し本体にネジ止めされる基台１０と、基台１０の嵌合孔１２に回動可能に嵌合する円筒部２２ｂとネジ付部材に係止する係止部２３ｂとを備えた回動腕２０と、基台１０と回動腕２０とを連結した油圧シリンダ３０とから構成されている。油圧シリンダ３０は、ネジ付部材の中心に点対称に２個水平に配置され、シリンダ体３１を基台１０にピン４３連結した支持レバー４０の一端にピン３３ａで連結し、ロッド３２の先端部は縦のピン３４ａを設けて回動腕２０に設けた段差のある取付部２１ａに設けた嵌凹部２１ｅに連結している。【選択図】図３
0003182355.tif 000002
【実用新案登録請求の範囲】
【請求項１】
縦に形成された本体の雌ねじにねじ込まれるネジ付部材の緩締装置であって、中央部に該ネジ付部材と同芯の嵌合孔を有し本体にネジ止めされる基台と、該基台の嵌合孔に回動可能に嵌合する円筒部と該ネジ付部材に係止する係止部とを備えた回動腕と、該基台にシリンダ体を連結するとともに該回動腕にロッドの先端部を連結する油圧シリンダとからなり、該油圧シリンダは、ネジ付部材の中心に点対称に２個水平に配置したことを特徴とするネジ付部材の緩締装置。
【請求項２】
前記回動腕は、中央部に挿入孔を有し油圧シリンダのロッドと連結する取付部を備えた腕体と、該挿入孔を挿通して基台の嵌合孔に嵌合する円筒部を備えて腕体にネジ止めされるアダプタと、ネジ付部材に係止する係止部を備えて該アダプタにネジ止めされる係止体とからなることを特徴とする請求項１記載のネジ付部材の緩締装置。
【請求項３】
前記油圧シリンダは、前記基台に対角線上に２個延出して設けた反力受部にシリンダ体をピンで連結し、前記回動腕に対角線上に２個延出して設けた取付部にロッドの先端部を連結し、該取付部には基台に回動腕を組付たとき該反力受け部と同じ高さになるように段差が設けられたことを特徴とする請求項１記載のネジ付部材の緩締装置。
【請求項４】
前記油圧シリンダのロッドの先端部に縦のピンを有する取付金具を備えるとともに、前記回動腕の腕体に延設された取付部に該縦のピンが嵌合する嵌凹部を形成し、前記油圧シリンダのシリンダ体は、基台の反力受け部に回動可能に連結された支持レバーの一端にピン連結し、該支持レバーの他端は基台の側面に当接する当接部が設けられたことを特徴とする請求項３に記載のネジ付部材の緩締装置。
【請求項５】
前記回動腕の嵌凹部は、腕体の先端部の左右にそれぞれ形成し、ネジ付部材を組み付けるときは取り外すときとは反対側の嵌凹部に油圧シリンダのロッドの先端部の縦のピンを嵌合させるようにしたことを特徴とする請求項４に記載のネジ付部材の緩締装置。
【考案の詳細な説明】
【技術分野】
【０００１】
本考案は、本体へ縦にねじ込まれるネジ付部材の緩締装置に関するものである。
【背景技術】
【０００２】
例えば、火力発電所や原子力発電所では、タービンへの蒸気回路に調節弁など種々の大型の弁が設けられており、高差圧、高温という過酷な条件下で使用されている（例えば、特許文献１参照）。
この調節弁５０は、図７に示すように、ボディ（本体）５１内にディスク５３を内装したケージ５２が設けられ、上部側がボンネット５４で塞がれ左右側部に入口流路５１ａと出口流路５１ｂが形成されている。そして、ディスク５３の上端に固設されたステム５５がボンネット５４の中心部を挿通して、ボデイ５１の上端部に設けられたアクチュエータ（図示してない）に連結されている。
【０００３】
また、ボンネット５４は、ボデイ５１の上端部に形成された雌ねじ５１ｄにねじ込まれるリテーナ（ネジ付部材）５６によって保持されている。そして、リテーナ５６の上部にはパッキン５８ｃが、下部にはパッキン５７が、また、ステム５５にはステムパッキン５８ａが設けられている。
この調節弁５０は、ボイラからの主蒸気温度を制御するもので、精度を維持するため定期的に分解され、ケージ５２など内装物の点検補修が行われている。
【０００４】
この調節弁５０の分解では、リテーナ５６を雌ねじ５１ｄから取り外し、ボンネット５４を取り出す必要がある。リテーナ５６は、雌ねじ５１ｄに所定のトルクで締結されているので、この取り外しには、専用のリテーナレンチ６０が使用されている。
このリテーナレンチ６０は、図８に示すように、長尺状の腕材６１の中央部に係止材６２が固設されたもので、係止材６２の下端には爪６２ａが付設されている。
そして、リテーナ５６を取り外すときは、爪６２ａをリテーナ５６の上端部に形成された係止溝５６ａに係止させて、腕材６１の先端部をチェーンブロックで引張ったり、ハンマーで打設することによって腕材６１を回動させ、ネジを緩めている。
【先行技術文献】
【特許文献】
【０００５】
【特許文献１】特開平０１−２１０６６９公報
【考案の開示】
【考案が解決しようとする課題】
【０００６】
ところで、上記の調節弁など大型の弁の取付場所は、一般に配管が複数個付設され、スペースが狭く、リテーナレンチ６０の腕材６１を長いもの（１ｍ以上）にできない。
しかも、リテーナ５６下部のパッキン５７は、内圧が付加されることもあって、ほとんど、リテーナ５６のネジ部に噛みこんだ状態となっている。
このため、リテーナ５６のネジを弛める作業では、チェーンブロックのみでは困難で、ハンマーでの打撃を併用しているが、ハンマーの打撃は、１００回以上であり、弁体が冷えた場合は、さらに打撃回数を必要とし、多くの時間を必要としている。
また、ハンマーの打撃回数が多いので、疲労により、ハンマーが腕材６１に当たらないことが起こり体勢を崩して転倒したり、ハンマーが既設配管などに当たって損傷させたりするなど、安全性にも問題があった。
【０００７】
そこで、本考案は、ハンマー打撃を必要とせずに、コンパクトで簡便に取り付けでき短時間でネジ付部材を緩締できる装置を提供することを目的とするものである。
【課題を解決するための手段】
【０００８】
本考案のネジ付部材の緩締装置は、上記の目的を達成するため次の手段を採った。すなわち、縦に形成された本体の雌ねじにねじ込まれるネジ付部材の緩締装置であって、中央部に該ネジ付部材と同芯の嵌合孔を有し本体にネジ止めされる基台と、該基台の嵌合孔に回動可能に嵌合する円筒部と該ネジ付部材に係止する係止部とを備えた回動腕と、該基台にシリンダ体を連結するとともに該回動腕にロッドの先端部を連結する油圧シリンダとからなり、該油圧シリンダは、ネジ付部材の中心に点対称に２個水平に配置したことを特徴としている。
【０００９】
ここで、本体とは、調節弁や類似の大型弁に限るものではなく、縦に雌ねじが形成された機器をいうものとする。また、ネジ付部材は、該縦の雌ねじにねじ込まれる雄ねじを有する部材をいう。
基台は、回動腕を回転可能に支持する嵌合孔を中央部に備えるとともに油圧シリンダのシリンダ体を支持するもので、本体にボルトで取り付けられる。
【００１０】
回動腕は、ネジ付部材に係止する係止部と、基台の嵌合孔に嵌合する円筒部を備え、油圧シリンダのロッドの先端部が連結できるようにしたものである。鋳造や鍛造で一体に形成したり、部材を組み合わせて溶接したものでもよい。
なお、一体にした場合は一般に機械加工が複雑になるので、請求項２に記載のように、中央部に挿入孔を有し油圧シリンダのロッドと連結する取付部を備えた腕体と、該挿入孔を挿通して基台の嵌合孔に嵌合する円筒部を備えて腕体にネジ止めされるアダプタと、ネジ付部材に係止する係止部を備えて該アダプタにネジ止めされる係止体とから構成するのが望ましい。
【００１１】
腕体の挿入孔は基台の嵌合孔と同芯とし、嵌合孔と同径またはそれより大きくする。アダプタは、腕体にネジ止めするが、挿入孔より大きな径のフランジを付設して取り付けるとよい。
また係止体の係止部は、ネジ付部材に付設される回動のための形態、例えば、放射状の溝、六角孔、四角孔に嵌合するように決めればよい。
【００１２】
油圧シリンダは、ネジ付部材の中心に点対称として基台と回動腕に水平にして２個配置する。油圧シリンダの連結手段および水平にする構成については特に限定しないが、請求項３に記載のように、基台に対角線上に２個延出して設けた反力受部にシリンダ体をピンで連結し、前記回動腕に対角線上に２個延出して設けた取付部にロッドの先端部を連結し、該取付部には基台に回動腕を組付たとき該反力受け部と同じ高さになるように段差を設けるのが望ましい。
【００１３】
また、油圧シリンダの連結手段は、種々の構成が考えられるが、請求項４に記載のように、油圧シリンダのロッドの先端部に縦のピンを有する取付金具を備えるとともに、回動腕の腕体の取付部に該縦のピンが嵌合する嵌凹部を形成するとよい。また、油圧シリンダのシリンダ体は、基台の反力受け部に回動可能に連結された支持レバーの一端にピン連結し、該支持レバーの他端は基台の側面に当接する当接部を設けたものとするのがよい。
【００１４】
また、油圧シリンダの取り付けは、ネジ付部材を緩めるときと締結するときで同じにしてもよいが、請求項５に記載のように、回動腕の嵌凹部は、腕体の先端部の左右に形成し、ネジ付部材を組み付けるときは取り外すときとは反対側の嵌凹部に油圧シリンダのロッドの先端部の縦のピンを嵌合させるようにするのが望ましい。
【考案の効果】
【００１５】
上記のように、本考案のネジ付部材の緩締装置は、中央部に嵌合孔を有し本体にネジ止めされる基台と、基台の嵌合孔に回動可能に嵌合する円筒部とネジ付部材に係止する係止部とを備えた回動腕と、基台と回動腕とをネジ付部材の中心に点対称に２個水平に配置した油圧シリンダとで、構成したので、従来のようにハンマーで衝撃を与えることなく、ネジ付部材を短時間で緩締できる。しかも、円周の２箇所から水平な力でネジ付部材を回動させるので、ネジ部に不必要な力が作用することが少なく、また、装置の取り付けスペースも小さくできる。
【００１６】
また、請求項３に記載のように、油圧シリンダは、基台に対角線上に２個延出して設けた反力受部にシリンダ体をピンで連結し、回動腕に対角線上に２個延出して設けた取付部にロッドの先端部を連結し、取付部には基台に回動腕を組付たとき反力受け部と同じ高さになるように段差を設ければ、油圧シリンダを簡便に水平に配置でき、しかも、ネジ付部材のネジに近い高さの位置で回動させることができるので、ネジ部に抉るような無理な力が生じない。
【００１７】
また、請求項４に記載のように、油圧シリンダのロッドの先端部に縦のピンを有する取付金具を備えるとともに、前記回動腕の腕体に延設された取付部に該縦のピンが嵌合する嵌凹部を形成し、前記油圧シリンダのシリンダ体は、基台の反力受け部に回動可能に連結された支持レバーの一端にピン連結し、該支持レバーの他端は基台の側面に当接する当接部を設ければ、油圧シリンダの着脱が極めて簡便となり、装置の取り付け取り外し時間を短縮できる。
【００１８】
また、請求項５に記載のように、回動腕の嵌凹部を腕体の先端部の左右に形成して、ネジ付部材を組み付けるときは取り外すときとは反対側の嵌凹部に油圧シリンダのロッドの先端部の縦のピンを嵌合させるようにすれば、油圧シリンダの脱着が簡便で、常にロッドを押し出す側の圧油でネジ付部材を緩締するので、油圧シリンダを小型にできる。
【図面の簡単な説明】
【００１９】
【図１】本考案のネジ付部材の緩締装置の実施の形態を示す全体平面図である。
【図２】同、図１のＡ−Ａ視断面図である。
【図３】同、ネジ付部材の緩締装置の部品展開斜視図である。
【図４】同、アダプタ２２を下方から見た斜視図である。
【図５】同、係止体２３を下方から見た斜視図である。
【図６】同、ネジ付部材を締め付ける場合の油圧シリンダの取付状態を示す全体平面図である。
【図７】調節弁の正面断面図である。
【図８】リテーナレンチの斜視図である。
【考案を実施するための形態】
【００２０】
以下、本考案のネジ付部材の緩締装置の実施の形態を火力発電所における調節弁の本体である調節弁５０のボディ５１にねじ込まれたネジ付部材であるリテーナ５６の脱着を実施例として、図１および図６に基づいて説明する。
図１は、ネジ付部材の緩締装置の全体を示す平面図であり、図２は、図１のＡ−Ａ視断面図である。また、図３は構成部品の展開斜視図である。
この緩締装置は、ボルト１５で取り付けられる基台１０と、基台１０に回動可能に取り付けられ、ネジ付部材である調節弁のリテーナ５６に係止される回動腕２０と、回動腕２０を回動させるための油圧シリンダ３０とから構成されている。
【００２１】
基台１０は、円板状で外周の対向する２箇所にピン孔１１ａが設けられた反力受部１１が延設されている。そして、中央部には嵌合孔１２が設けられ、その周囲には複数の座ぐり１３が形成され、ボルト孔１４が設けられている。
【００２２】
回動腕２０は、腕体２１とアダプタ２２と係止体２３とがボルト２５、２６でそれぞれ取り付けられて一体となっている。
腕体２１は、中央部に基台１０の嵌合孔１２と同径の挿入孔２１ｃを有する円板状で、外周の対向する２箇所に取付部２１ａが延設されている。この取付部２１ａの先端側は、基台１０の高さと同じになるように段部２１ｂを設けて低く形成されており、また、先端部の左右には油圧シリンダ３０のロッド３２の先端に付設された縦のピン３４ａに嵌合する嵌凹部２１ｅがそれぞれ設けられている。また、挿入孔２１ｃの周囲には複数のネジ孔２１ｄが設けられている。
【００２３】
アダプタ２２は、外観がフランジ付きの皿のような形状をしたもので、底部側から見た図４に示すように、ボルト孔２２ｆが複数個設けられたフランジ２２ａと、中央部に底孔２２ｄが設けられた底部２２ｃを有する円筒部２２ｂとからなる。内筒部２２ｂの外径は基台１０の嵌合孔１２に回転可能に嵌合する寸法としている。なお、ここでは腕体２１の挿入孔２１ｃも同径としている。
また、底部２２ｃには、底孔２２ｄの周囲４箇所に溝２２ｅが設けられ、また、底孔２２ｄの周囲にネジ孔２２ｇが複数個設けられている。なお、アダプタ２２は、ボルト２５でボルト孔２２ｆを挿通して腕体２１のネジ孔２１ｄに締結される。
【００２４】
係止体２３は、アダプタ２２に内嵌する円筒部２３ａとその下部に突設された係止部２３ｂとから構成され、係止部２３ｂは、リテーナ５６の係止溝５６ａに係合するもので、アダプタ２２の溝２２ｅを挿通させて、ボルト２６でアダプタ２２に締結される。
ボルト２６は、円筒部２３ａに複数個設けられたボルト孔２３ｃを挿通させて、アダプタ２２の底部２２ｃのネジ孔２２ｇに締結される。なお、図５は、下部側から見た斜視図である。
【００２５】
止め板２４は、回動腕２０を上から保持するためのもので、円板状で、中央部にステム５５が挿通される通し孔２４ａと、その両側にボルト（図示してない）によってボンネット５４のネジ孔５６ｂへ取り付けるためのボルト孔２４ｂが設けられている。
【００２６】
油圧シリンダ３０は、シリンダ体３１とロッド３２と取付金具３３、３４とから構成されている。取付金具３３は、シリンダ体３１に固設され、ピン３３ａを備え、これに、支持レバー４０の一端が連結されている。一方、取付金具３４は、ロッド３２の先端に設けられ、ここに、腕体２１のピン受２１ｅと係合する縦のピン３４ａが固設されている。
【００２７】
支持レバー４０は、上下２枚の板状のレバー材４１と、レバー材４１同士を連結するピン４２、４３とで構成され、一端は油圧シリンダ３０の取付金具３３のピン３３ａに連結されている。中央部の連結ピン４３は、使用時に基台１０の反力受部１１に連結され、ピン４２は基台１０の側面に当接する当接部として機能する。
なお、図示してないが、油圧シリンダ３０は、油タンクと電動油圧ポンプと制御バルブとをユニットにした可搬可能なパワーユニットに油圧ホースで接続されており、電動機の電源を接続することにより直ちに使用できる。
【００２８】
次に、この装置を用いて、調節弁５０（図７）のリテーナ５６を取り外す作業について説明する。
図７は、アクチュエータが既に取付体５９から取り外された状態を示している。
この状態から、まず、ボルト５８ｂを緩めてボンネット５４から外れたら、ボルト５９ａを取り外し、取付体５９をチェンブロックで上方へ引き上げてボディ５１から取り外す。そして、パッキン５８ｃおよびステムパッキン５８ａを取り出す。
【００２９】
次に、基台１０を嵌合孔１２の中央部にステム５５が位置するように上から水平に保持してボディ５１の上端へ載せ、ボルト１５をボルト孔１４からネジ孔５１ｃへねじ込んで締結する。
次に、予め腕体２１にアダプタ２２および係止体２３が組み付けられた回動腕２０を基台１０の嵌合孔１２にアダプタ２２の円筒部２２ｂを嵌合させながら、係止体２３の係止部２３ｂをリテーナ５６の係止溝５６ａに嵌合させて、基台１０上に載せる。
なお、係止部２３ｂを係止溝５６ａに嵌合させるときは、取付部２１ａが基台１０の反力受部１１とほぼ直交する位置になるように、回動腕２０を回動させて行う。
【００３０】
続いて、止め板２４を、通し孔２４ａにステム５５を挿通させながら係止体２３の上から組み込み、ボルト孔２４ｂからボンネット５４のネジ孔５６ｂへボルトをねじ込んで締結する。
【００３１】
次に、支持レバー４０が連結された油圧シリンダ３０を基台１０に取り付ける。
この作業は、まず、支持レバー４０を基台１０の反力受部１１のピン孔１１ａに連結ピン４３で連結し、支持レバー４０を連結ピン４３を中心として回動可能とする。そして、油圧シリンダ３０のロッド３２の先端の取付金具３４に付設されているピン３４ａを回動腕２０の嵌凹部２１ｅへ嵌合させる。
【００３２】
２個の油圧シリンダ３０をこのように取り付けたら、両油圧シリンダ３０を作動させてロッド３２を伸長させる。これにより、支持レバー４０が連結ピン４３を中心として回動し、支持レバー４０の当接部であるピン４２が基台１０の側面に当接する。図１は、このときの状態を示している。
この状態から、さらに油圧シリンダ３０を作動させると、油圧が上昇しロッド３２が伸長し、回動腕２０が、図１で矢印の方向へ回動し、リテーナ５６を回動させる。
リテーナ５６のネジが緩んだら、油圧シリンダ３０のロッド３２を縮小させ、止め板２４を取り外し、回動腕２０および支持レバー４０が連結された油圧シリンダ３０を取り外す。
緩んだ状態ではリテーナ５６は軽い力で回動させることができるので、係止溝５６ａに係止する係止部を備えた柄の短いレンチなどを用いて、ボディ５１から取り外す。
【００３３】
調節弁５０は、ケージ５４やディスク５４ｂなど調節弁５０内の保守点検が終わったら、上記の作業とは逆の工程によって、組み付けられる。この場合、油圧シリンダ３０を図６に示すように、ロッド３２の先端部のピン３４ａを上記とは反対側の嵌凹部２１ｅへ嵌合させる。これにより、油圧シリンダ３０を作動させたとき、図６で矢印で示すように、回動腕２０を時計回りに回動させ、リテーナ５６を締め付けることができる。
【符号の説明】
【００３４】
１０  基台
１１  反力受部
１１ａ  ピン孔
１２  嵌合孔
１３  座ぐり
１４  ボルト孔
１５  ボルト
２０  回動腕
２１  腕体
２１ａ  取付部
２１ｂ  段部
２１ｃ  挿入孔
２１ｄ  ネジ孔
２１ｅ  ピン受
２２  アダプタ
２２ａ  フランジ
２２ｂ  内筒部
２２ｃ  底部
２２ｄ  底孔
２２ｅ  溝
２２ｆ  ボルト孔
２２ｇ  ネジ孔
２３  係止体
２３ａ  円筒部
２３ｂ  係止部
２３ｃ  ボルト孔
２４  止め板
２４ａ  通孔
２４ｂ  ボルト孔
２５  ボルト
２６  ボルト
３０  油圧シリンダ
３１  シリンダ体
３２  ロッド
３３  ブラケット
３３ａ  ピン
３４  取付金具
４０  支持レバー
４１  レバー材
４２  ピン（当接部）
４３  連結ピン
５０  調節弁
５１  ボディ（本体）
５１ａ  入口流路
５１ｂ  出口流路
５１ｃ  ネジ孔
５１ｄ  雌ねじ
５２  ケージ
５３  ディスク
５４  ボンネット
５５  ステム
５６  リテーナ（ネジ付部材）
５６ａ  係止溝
５６ｂ  ネジ孔
５７  パッキン
５８  パッキン押え
５８ａ  ステムパッキン
５８ｂ  ボルト
５８ｃ  パッキン
５９  取付体
５９ａ  ボルト
６０  リテーナレンチ
６１  腕材
６２  係止材
６２ａ  爪
【図１】
0003182355.tif 000003
【図２】
0003182355.tif 000004
【図３】
0003182355.tif 000005
【図４】
0003182355.tif 000006
【図５】
0003182355.tif 000007
【図６】
0003182355.tif 000008
【図７】
0003182355.tif 000009
【図８】
0003182355.tif 000010